(57)【特許請求の範囲】
【請求項１】
前面板に設けた窓孔に透光板を装着したキャビネット等における透光窓付き扉において、
前記前面板における窓孔の縁に、化粧部材における断面ほぼＵ字状をなす化粧縁を嵌合し、前記化粧部材における化粧縁の後部外側縁より後方に突出する後向片の後端部に設けた取付部に、外端部が前記前面板の外側部に形成した補強枠に係合し、かつ内端部に透光板押え部が形成された後面板の中間部を止着し、前記後面板の透光板押え部の前面と、化粧部材における化粧縁の後面と、後向片の内面とによって形成される空間に、透光板の縁部を嵌合して、透光板を支持するようにしたことを特徴とするキャビネット等における透光窓付き扉。
【請求項２】
前面板及び後面板を鋼板製とし、かつ化粧部材をアルミニウム合金製とした、請求項１記載のキャビネット等における透光窓付き扉。
【請求項３】
前面板の外側端を後方に折り曲げて補強枠を形成し、該補強枠の後端部における内向片の前面に、後面板の外端部を係止させた、請求項１または２記載のキャビネット等における透光窓付き扉。
【請求項４】
方形とした窓孔の各隅部に、窓孔の直線部分に装着した化粧部材における化粧縁とほぼ連続する正面視Ｌ字状の化粧縁部を有するコーナー部材を配設した、請求項１〜３のいずれかに記載のキャビネット等における透光窓付き扉。
【請求項５】
前面板を、プリント鋼板により形成した請求項１〜４のいずれかに記載のキャビネット等における透光窓付き扉。
【発明の詳細な説明】
【０００１】
【発明の属する技術分野】
本発明は、キャビネット等における透光窓付き扉に関する。
【０００２】
【従来の技術】
従来のこの種の扉は、鋼板製の前面板の外周縁、及びその窓孔の内周縁に補強部材を溶接するとともに、この補強部材の内面に溝または段部を設け、これにガラス板等の透光板の縁を嵌合し、その後方から、後面板や押え板等を適宜ねじ止めし、最後に前面板等の表面を塗装して仕上げられている。
【０００３】
【発明が解決しようとする課題】
近年、安価に高級感を出すため、木調プリント鋼板が使用されるようになってきているが、これを使用すると、補強部材等を従来と同様の溶接装置で溶接することができず、コンデンサ溶接機等の高価な装置を用いて、煩雑な作業を実施しなければならず、また予めプリントされた鋼板を用いるため、その切断面から金属素地が露呈して、見苦しい等の問題がある。
【０００４】
美観を保つために、木調プリント鋼板の切断面をカバーや縁材等により覆うことも考えられるが、そのようにすると、部品点数や加工工数が増え、コスト高となる。
【０００５】
本発明は、従来の技術が有する上記のような問題点に鑑み、溶接が不要で、構造及び組み付け作業が簡単であり、しかも透光板を確実に支持することができるとともに、鋼板の切断面が露呈せず、美麗な外観を呈することができるようにした、キャビネット等における透光窓付き扉を提供することを目的としている。
【０００６】
【課題を解決するための手段】
本発明によると、上記課題は、次のようにして解決される。
（１）  前面板に設けた窓孔に透光板を装着したキャビネット等における透光窓付き扉において、前記前面板における窓孔の縁に、化粧部材における断面ほぼＵ字状をなす化粧縁を嵌合し、前記化粧部材における化粧縁の後部外側縁より後方に突出する後向片の後端部に設けた取付部に、外端部が前記前面板の外側部に形成した補強枠に係合し、かつ内端部に透光板押え部が形成された後面板の中間部を止着し、前記後面板の透光板押え部の前面と、化粧部材における化粧縁の後面と、後向片の内面とによって形成される空間に、透光板の縁部を嵌合して、透光板を支持する。
【０００７】
（２）  上記(１)項において、前面板及び後面板を鋼板製とし、かつ化粧部材をアルミニウム合金製とする。
【０００８】
（３）  上記(１)または(２)項において、前面板の外側端を後方に折り曲げて補強枠を形成し、該補強枠の後端部における内向片の前面に後面板の外端部を係止させる。
【０００９】
（４）  上記(１)〜(３)項のいずれかにおいて、方形とした窓孔の各隅部に、窓孔の直線部分に装着した化粧部材における化粧縁部とほぼ連続する正面視Ｌ字状の化粧縁部を有するコーナー部材を配設する。
【００１０】
（５）  上記(１)〜(４)項のいずれかにおいて、前面板を、プリント鋼板により形成する。
【００１１】
【発明の実施の形態】
以下、本発明の一実施形態を、添付図面を参照して説明する。
図１は、本発明のガラス付き扉の一実施形態を備える鋼製キャビネットの斜視図である。
【００１２】
図１に示すように、キャビネット(Ａ)は、その前面に観音開きの２枚の扉(１)(１)を備えており、各扉(１)には、ガラス板、アクリル板等の透光板(２)をはめ込んだ縦長方形の窓孔(３)が形成されている。
【００１３】
図２以降に示すように、各扉(１)は、木調プリントを施した鋼板製の前面板(４)を備えており、前面板(４)のほぼ中央に、窓孔(３)が打ち抜かれている。したがって、窓孔(３)の縁は、剪断面のままである。
【００１４】
前面板(４)の上下左右の外周縁には、後方を向く外側片(4a)と、その後端より内方に直角に折曲された内向片(4b)と、その内側の縁から前方に直角に折曲された前向片(4c)とからなる補強枠(4d)が形成されている。前向片(4c)の前縁には、複数の方形の切欠き(５)が、長手方向に適宜の間隔で設けられている。
【００１５】
前面板(４)における窓孔(３)の内側縁には、その隅部を除いて、化粧部材(６)における断面外向Ｕ字状をなす化粧縁(6a)が嵌合されている。
化粧部材(６)は、アルミニウム合金または合成樹脂材料の押し出し成型品であって、上記化粧縁(6a)の後部外側端より後方に突出する後向片(6b)の後端に、外側方を向くとともに、中央部が厚肉となった取付部(6c)を連設したものよりなっている。
【００１６】
窓孔(３)の各隅部には、前記化粧部材(６)における化粧縁(6a)とほぼ連続する正面視Ｌ字状の化粧縁(7a)を有するコーナー部材(７)が、窓孔(３)の各隅部を内側から覆うようにして嵌合されている。
コーナー部材(７)における化粧縁(7a)の後部外側縁には、上下方向と左右方向との外側の２方向に向かって突出し、かつ前面板(４)の後面に圧接するようにした突片(7b)(7b)が連設されている。
【００１７】
化粧部材(６)における取付部(6c)の後面には、後面板(８)の中間部が当接され、かつ複数の止めねじ(９)をもって止着されている。後面板(８)は、上下方向を向く左右１対の縦方向のものと、それらの上端部間及び下端部間に配設された左右方向を向く上下１対の横方向のものとからなっている。縦方向のものの左右方向の幅は互いに若干異なっているが、基本的な断面形状は、横方向のものを含めてほぼ同一である。
【００１８】
後面板(８)の内外の縁には、それぞれ、前端部が外向きに折曲された前方を向く短寸の内側片(8a)と、前端部が内向きに折曲された前方を向く長寸の外側片(8b)とが連設されている。
外側片(8b)における前後方向の中間部には、外向きの複数の突片(8c)が、長手方向に所要の間隔をもって切り起こして形成されている。
【００１９】
各後面板(８)は、その外側片(8b)の前端を前面板(４)の後面に当接させて、各突片(8c)を対応する前面板(４)の前向片(4c)の前縁における各切欠き(５)に係合させて、その中間部を、上記のように、止めねじ(９)をもって化粧部材(６)における取付部(6c)の後面に止着することにより、前面板(４)に取付けられ、そのとき化粧部材(６)における後向片(6b)より内方に突出する部分が、透光板押え部(8d)となっている。
【００２０】
この透光板押え部(8d)の前面と、化粧部材(６)における化粧縁(6a)の後面と、後向片(6b)の内面とによって形成される空間に、上下左右の寸法を窓孔(２)よりも若干大とした透光板(２)の上下左右の縁部をそれぞれ嵌合することにより、透光板(２)は、扉(１)に強固に取付けられる。
【００２１】
組み付けに当たっては、前面板(４)における窓孔(３)の各隅部に、コーナー部材(７)における化粧縁(7a)を内方から外向きに押し込んで装着した後、窓孔(３)の直線状の縁に、化粧部材(６)における化粧縁(6a)を内方から外向きに押し込んで装着する。
【００２２】
次いで、それらの後方から、透光板(２)を、各縁部が各化粧部材(６)の後向片(6b)の内側に位置するようにして前方に押し込み、各縁部が化粧縁(6a)の後面に当接した後、各後面板(８)を、各化粧部材(６)の後方より、上述したようにして装着し、その透光板押え部(8d)の前面を透光板(２)の後面に当接させた状態で、各後面板(８)の中間部を、各化粧部材(６)の取付部(6c)に止めねじ(９)をもってそれぞれ止着する。
【００２３】
こうして組み立てられた扉(１)は、止めねじ(９)の締付けのみにより、前面板(４)と化粧部材(６)と後面板(８)と透光板(２)とが相互に確実に結合され、透光板(２)は、がたつくことなく確実に扉(１)に装着される。
【００２４】
なお、コーナー部材(７)は、省略して実施することもできる。この場合には、各化粧部材(６)の化粧縁(6a)の端部を外向きに４５度の傾斜角度で切断し、その切断面同士を窓孔(３)のコーナー部で互いに突き合わせるようにすればよい。
【００２５】
【発明の効果】
請求項１記載の発明によれば、前面板における窓孔の各縁に、化粧部材における化粧縁を装着した後、透光板を化粧部材の後向片の内側に位置するようにして前方に押し込み、その後、後面板の中間部を、化粧部材の取付部に止着するだけで、前面板と化粧部材と後面板と透光板とが相互に確実に結合され、扉を簡単に組み立てることができるとともに、透光板を、がたつくことなく、確実に扉に装着することができる。
また、溶接を行うことなく製造することができるとともに、前面板における窓孔の縁が化粧部材における化粧縁により覆われるので、前面板の切断面が外部に露呈することがなく、美麗な外観を呈することができる。
【００２６】
請求項２記載の発明によれば、軽量で丈夫な扉を形成することができるとともに、透光板の縁の少なくとも片面をアルミニウム合金製の化粧部材によりソフトに支持することができる。
【００２７】
請求項３記載の発明によれば、溶接手段を用いることなく、前面板を折曲するだけで、扉の補強枠を形成することができるとともに、この補強枠に後面板を係止させることができる。
【００２８】
請求項４記載の発明によれば、窓孔の隅部の処理が容易になり、組立の効率が向上するとともに、窓孔の隅部の美観を向上させることができる。
【００２９】
請求項５記載の発明によれば、安価に扉に高級感を与えることができる。
【図面の簡単な説明】
【図１】本発明の透光窓付き扉の一実施形態を備える鋼製キャビネットの前方斜視図である。
【図２】図１のII−II線に沿う拡大横断平面図である。
【図３】扉の左下部の拡大前方斜視図である。
【図４】扉の左下部の拡大後方斜視図である。
【符号の説明】
(Ａ)キャビネット
(１)扉
(２)透光板
(３)窓孔
(４)前面板
(4a)外側片
(4b)内向片
(4c)前向片
(4d)補強枠
(５)切欠き
(６)化粧部材
(6a)化粧縁
(6b)後向片
(6c)取付部
(７)コーナー部材
(7a)化粧縁
(7b)突片
(８)後面板
(8a)内側片
(8b)外側片
(8c)突片
(8d)透光板押え部
(９)止めねじ
【図１】
0003852831.tif 000002
【図２】
0003852831.tif 000003
【図３】
0003852831.tif 000004
【図４】
0003852831.tif 000005